(57)【要約】【課題】  センサ装置の検出結果に基づいて複数のＬＥＤ照明装置を適切に制御することが可能なＬＥＤ照明システムを提供すること。【解決手段】  各々がＬＥＤチップ２２３を具備する複数のＬＥＤ照明装置２Ａ，２Ｂを備えるＬＥＤ照明システムＡ１であって、複数のＬＥＤ照明装置２Ａ，２Ｂは、各々がＬＥＤチップ２２３に電力を供給する電源部２４、無線通信を行う照明側無線通信部２５、電源部２４および照明側無線通信部２５を制御する制御部２６、を有しており、検出部３２１および検出側無線通信部３２２を具備するセンサ装置３１Ａ，３１Ｂ，３１Ｃと、複数のＬＥＤ照明装置２Ａ，２Ｂおよびセンサ装置３１Ａ，３１Ｂ，３１Ｃが属するネットワークＨＮＷを構築するネットワーク構築手段１２と、センサ装置３１Ａ，３１Ｂ，３１Ｃからの検出信号に基づいて複数のＬＥＤ照明装置２Ａ，２Ｂの点灯状態を制御する制御手段１１と、を備える。【選択図】  図２
2017021932.tif 000002
【特許請求の範囲】
【請求項１】
各々がＬＥＤチップを具備する複数のＬＥＤ照明装置を備えるＬＥＤ照明システムであって、
前記複数のＬＥＤ照明装置は、各々が前記ＬＥＤチップに電力を供給する電源部、無線通信を行う照明側無線通信部、前記電源部および前記照明側無線通信部を制御する制御部、を有しており、
検出部および検出側無線通信部を具備する１以上のセンサ装置と、
前記複数のＬＥＤ照明装置および前記１以上のセンサ装置が属するネットワークを構築するネットワーク構築手段と、
前記センサ装置からの検出信号に基づいて前記複数のＬＥＤ照明装置の点灯状態を制御する制御手段と、
を備えることを特徴とする、ＬＥＤ照明システム。
【請求項２】
前記ネットワーク構築手段を具備するホームゲートウェイ装置を更に備える、請求項１に記載のＬＥＤ照明システム。
【請求項３】
前記ホームゲートウェイ装置は、前記制御手段を具備する、請求項２に記載のＬＥＤ照明システム。
【請求項４】
前記ホームゲートウェイ装置は、該装置外に備えられた他の前記制御手段が存在する場合、前記他の制御手段による制御を優先させ、内蔵する前記制御手段を無効化する、無効化モードを有する、請求項３に記載のＬＥＤ照明システム。
【請求項５】
前記制御手段を具備し、前記ネットワークに属するパーソナルコンピュータを備える、請求項２ないし４のいずれかに記載のＬＥＤ照明システム。
【請求項６】
前記ホームゲートウェイ装置は、ホームゲートウェイ側有線通信部を具備しており、
前記パーソナルコンピュータは、ＰＣ側有線通信部を具備しており、
前記ホームゲートウェイ装置と前記パーソナルコンピュータとは、有線接続されている、請求項５に記載のＬＥＤ照明システム。
【請求項７】
前記制御手段と携帯端末側無線通信部とを具備し、前記ネットワークに属する携帯型情報端末を備える、請求項２ないし６のいずれかに記載のＬＥＤ照明システム。
【請求項８】
前記ホームゲートウェイ装置は、外部ネットワークに接続されている、請求項２ないし７のいずれかに記載のＬＥＤ照明システム。
【請求項９】
前記外部ネットワークに属しており、且つ前記制御手段を具備する外部サーバを備える、請求項８に記載のＬＥＤ照明システム。
【請求項１０】
前記制御手段は、制御部と記憶部とを具備する、請求項１ないし９のいずれかに記載のＬＥＤ照明システム。
【請求項１１】
前記記憶部は、点灯マップ領域を有する、請求項１０に記載のＬＥＤ照明システム。
【請求項１２】
前記複数のＬＥＤ照明装置は、前記ＬＥＤチップの点灯状態および前記電源部からの電源供給状態の少なくともいずれかの情報を含むＬＥＤ照明装置動作情報を出力する、請求項１０または１１に記載のＬＥＤ照明システム。
【請求項１３】
前記記憶部は、前記複数のＬＥＤ照明装置の前記ＬＥＤ照明装置動作情報を記憶する動作情報領域を有する、請求項１２に記載のＬＥＤ照明システム。
【請求項１４】
前記記憶部は、前記１以上のセンサ装置の検出情報を記憶する検出情報領域を有する、請求項１０ないし１３のいずれかに記載のＬＥＤ照明システム。
【請求項１５】
前記複数のＬＥＤ照明装置のいずれかは、シーリングライトとして構成されている、請求項１ないし１４のいずれかに記載のＬＥＤ照明システム。
【請求項１６】
前記複数のＬＥＤ照明装置のいずれかは、ダウンライトとして構成されている、請求項１ないし１５のいずれかに記載のＬＥＤ照明システム。
【請求項１７】
前記１以上のセンサ装置は、照度センサを含む、請求項１ないし１６のいずれかに記載のＬＥＤ照明システム。
【請求項１８】
前記１以上のセンサ装置は、人感センサを含む、請求項１ないし１７のいずれかに記載のＬＥＤ照明システム。
【請求項１９】
前記１以上のセンサ装置は、温湿度センサを含む、請求項１ないし１８のいずれかに記載のＬＥＤ照明システム。
【請求項２０】
前記１以上のセンサ装置は、スイッチを含む、請求項１ないし１９のいずれかに記載のＬＥＤ照明システム。
【請求項２１】
前記スイッチは、使用者の操作によって複数の状態をとる、請求項２０に記載のＬＥＤ照明システム。
【請求項２２】
前記スイッチは、近接する物体の状態に応じた複数の状態をとる、請求項２０に記載のＬＥＤ照明システム。
【発明の詳細な説明】
【技術分野】
【０００１】
本発明は、ＬＥＤ照明システムに関する。
【背景技術】
【０００２】
光源としてＬＥＤチップを有するＬＥＤ照明装置は、省電力、長寿命な照明装置として普及している。特許文献１には、人感センサを有するＬＥＤ照明装置が提案されている。このようなＬＥＤ照明装置においては、点灯や消灯などの点灯状態の切替が、使用者の操作によって行われることに加えて、人感センサの検出信号に基づいて行われる。これにより、使用者の操作負担を軽減したり、誰も居ない環境を無駄に照らしたりするといったことを抑制することができる。
【０００３】
ＬＥＤ照明装置の普及が進むと、たとえば一軒の住宅内に、複数のＬＥＤ照明装置が備えられる状況となる。これらのＬＥＤ照明装置のそれぞれが人感センサを有すると、上述した利点が得られる。しかしながら、たとえばある部屋に設置された複数のＬＥＤ照明装置は、１つの人感センサの検出信号に基づいて制御されれば十分な場合があり、個々のＬＥＤ照明装置に人感センサを備えることが無駄となる。一方、住宅に多数のＬＥＤ照明システムが備えられると、これらのすべてを協調制御するといった要請が生じる。このような要請に応えるには、個々のＬＥＤ照明装置に人感センサ等を備えるだけでは不十分である。
【先行技術文献】
【特許文献】
【０００４】
【特許文献１】特開２０１５−３２５７８号公報
【発明の概要】
【発明が解決しようとする課題】
【０００５】
本発明は、上記した事情のもとで考え出されたものであって、センサ装置の検出結果に基づいて複数のＬＥＤ照明装置を適切に制御することが可能なＬＥＤ照明システムを提供することをその課題とする。
【課題を解決するための手段】
【０００６】
本発明によって提供されるＬＥＤ照明システムは、各々がＬＥＤチップを具備する複数のＬＥＤ照明装置を備えるＬＥＤ照明システムであって、前記複数のＬＥＤ照明装置は、各々が前記ＬＥＤチップに電力を供給する電源部、無線通信を行う照明側無線通信部、前記電源部および前記照明側無線通信部を制御する制御部、を有しており、検出部および検出側無線通信部を具備する１以上のセンサ装置と、前記複数のＬＥＤ照明装置および前記１以上のセンサ装置が属するネットワークを構築するネットワーク構築手段と、前記センサ装置からの検出信号に基づいて前記複数のＬＥＤ照明装置の点灯状態を制御する制御手段と、を備えることを特徴としている。
【０００７】
本発明の好ましい実施の形態によっては、前記ネットワーク構築手段を具備するホームゲートウェイ装置を更に備える。
【０００８】
本発明の好ましい実施の形態によっては、前記ホームゲートウェイ装置は、前記制御手段を具備する。
【０００９】
本発明の好ましい実施の形態によっては、前記ホームゲートウェイ装置は、該装置外に備えられた他の前記制御手段が存在する場合、前記他の制御手段による制御を優先させ、内蔵する前記制御手段を無効化する、無効化モードを有する。
【００１０】
本発明の好ましい実施の形態によっては、前記制御手段を具備し、前記ネットワークに属するパーソナルコンピュータを備える。
【００１１】
本発明の好ましい実施の形態によっては、前記ホームゲートウェイ装置は、ホームゲートウェイ側有線通信部を具備しており、前記パーソナルコンピュータは、ＰＣ側有線通信部を具備しており、前記ホームゲートウェイ装置と前記パーソナルコンピュータとは、有線接続されている。
【００１２】
本発明の好ましい実施の形態によっては、前記制御手段と携帯端末側無線通信部とを具備し、前記ネットワークに属する携帯型情報端末を備える。
【００１３】
本発明の好ましい実施の形態によっては、前記ホームゲートウェイ装置は、外部ネットワークに接続されている。
【００１４】
本発明の好ましい実施の形態によっては、前記外部ネットワークに属しており、且つ前記制御手段を具備する外部サーバを備える。
【００１５】
本発明の好ましい実施の形態によっては、前記制御手段は、制御部と記憶部とを具備する。
【００１６】
本発明の好ましい実施の形態によっては、前記記憶部は、点灯マップ領域を有する。
【００１７】
本発明の好ましい実施の形態によっては、前記複数のＬＥＤ照明装置は、前記ＬＥＤチップの点灯状態および前記電源部からの電源供給状態の少なくともいずれかの情報を含むＬＥＤ照明装置動作情報を出力する。
【００１８】
本発明の好ましい実施の形態によっては、前記記憶部は、前記複数のＬＥＤ照明装置の前記ＬＥＤ照明装置動作情報を記憶する動作情報領域を有する。
【００１９】
本発明の好ましい実施の形態によっては、前記記憶部は、前記１以上のセンサ装置の検出情報を記憶する検出情報領域を有する。
【００２０】
本発明の好ましい実施の形態によっては、前記複数のＬＥＤ照明装置のいずれかは、シーリングライトとして構成されている。
【００２１】
本発明の好ましい実施の形態によっては、前記複数のＬＥＤ照明装置のいずれかは、ダウンライトとして構成されている。
【００２２】
本発明の好ましい実施の形態によっては、前記１以上のセンサ装置は、照度センサを含む。
【００２３】
本発明の好ましい実施の形態によっては、前記１以上のセンサ装置は、人感センサを含む。
【００２４】
本発明の好ましい実施の形態によっては、前記１以上のセンサ装置は、温湿度センサを含む。
【００２５】
本発明の好ましい実施の形態によっては、前記１以上のセンサ装置は、スイッチを含む。
【００２６】
本発明の好ましい実施の形態によっては、前記スイッチは、使用者の操作によって複数の状態をとる。
【００２７】
本発明の好ましい実施の形態によっては、前記スイッチは、近接する物体の状態に応じた複数の状態をとる。
【発明の効果】
【００２８】
本発明によれば、前記センサ装置の検出結果に基づいて前記複数のＬＥＤ照明装置を適切に制御することができる。
【００２９】
本発明のその他の特徴および利点は、添付図面を参照して以下に行う詳細な説明によって、より明らかとなろう。
【図面の簡単な説明】
【００３０】
【図１】本発明の第１実施形態に基づくＬＥＤ照明システムを示す全体概略図である。
【図２】図１のＬＥＤ照明システムを示すブロック構成図である。
【図３】図１のＬＥＤ照明システムのＬＥＤ照明装置を示すブロック構成図である。
【図４】図１のＬＥＤ照明システムのＬＥＤ照明装置の一例を示す斜視図である。
【図５】図４のＶ−Ｖ線に沿う断面図である。
【図６】図１のＬＥＤ照明システムのＬＥＤ照明装置の他の例を示す斜視図である。
【図７】図６のＶＩＩ−ＶＩＩ線に沿う断面図である。
【図８】図１のＬＥＤ照明システムのセンサ装置を示すブロック構成図である。
【図９】図１のＬＥＤ照明システムのセンサ装置の一例であるスイッチを示すブロック構成図である。
【図１０】図１のＬＥＤ照明システムの動作の一例を示すフローチャートである。
【図１１】図１のＬＥＤ照明システムの点灯マップの一例を示す表である。
【図１２】図１のＬＥＤ照明システムの点灯マップの他の例を示す表である。
【図１３】図１のＬＥＤ照明システムの点灯マップのさらに他の例を示す表である。
【図１４】本発明の第２実施形態に基づくＬＥＤ照明システムを示すブロック構成図である。
【図１５】図１４のＬＥＤ照明システムの携帯型情報端末を示すブロック構成図である。
【図１６】図１４のＬＥＤ照明システムのパーソナルコンピュータを示すブロック構成図である。
【図１７】本発明の第３実施形態に基づくＬＥＤ照明システムを示すブロック構成図である。
【図１８】図１７のＬＥＤ照明システムの外部サーバを示すブロック構成図である。
【発明を実施するための形態】
【００３１】
以下、本発明の好ましい実施の形態につき、図面を参照して具体的に説明する。
【００３２】
図１および図２は、本発明の第１実施形態に基づくＬＥＤ照明システムを示している。本実施形態のＬＥＤ照明システムＡ１は、ホームゲートウェイ装置１、複数のＬＥＤ照明装置２Ａ，２Ｂ、複数のセンサ装置３１Ａ，３１Ｂ，３１Ｃおよび複数のスイッチ３２Ａ，３２Ｂを備えている。
【００３３】
ホームゲートウェイ装置１は、少なくとも無線通信を用いたネットワークＨＮＷを構築する装置である。ネットワークＨＮＷの具体例は特に限定されない。図１および図２に示す例においては、１台のホームゲートウェイ装置１によって、一軒の住宅内にネットワークＨＮＷが構築された場合を示している。これ以外に、集合住宅全体やビル全体を包括するネットワークＨＮＷや、ある地域を包括するネットワークＨＮＷを構築する構成であってもよい。
【００３４】
ホームゲートウェイ装置１は、制御手段１１、ネットワーク構築手段１２、機器識別部１４、操作部１５およびＩ／Ｆ部１６を有している。
【００３５】
ネットワーク構築手段１２は、無線通信を利用したネットワークＨＮＷを構築する機能を果たすものである。ネットワーク構築手段１２によってなされる無線通信は、公知の様々な通信規格に則ったものが適宜採用される。また、ネットワーク構築手段１２は、複数の通信規格に則った無線通信を並行的に処理しうる構成であってもよい。ネットワーク構築手段１２の無線通信は、アンテナ部１２１からの電波の送受信によって実現される。
【００３６】
無線通信規格の一例として、たとえばＷｉ−ＳＵＮが挙げられる。Ｗｉ−ＳＵＮは、IEEE 802.15.4gの物理層仕様を有し、低電力かつ高効率な無線通信を意図して設立されている。Ｗｉ−ＳＵＮに準拠したネットワーク構築手段１２の実用例としては、たとえば電気、ガス、水道といったインフラストラクチャーの検針装置への搭載が挙げられる。各検診装置からのデータをネットワーク構築手段１２から送信することにより、上述したインフラストラクチャーをより効率よく運用することが可能となる。ネットワーク構築手段１２における通信周波数は、１ＧＨｚ以下であり、たとえば９２０ＭＨｚである。この場合、当該電波の波長は、３２６ｍｍ程度であり、１／４波長が８１ｍｍ程度である。
【００３７】
無線通信規格の他の例として、たとえばＷｉ−Ｆｉが挙げられる。Ｗｉ−Ｆｉは、IEEE 802.11の物理層仕様を有する無線ＬＡＮの一種である。パーソナルコンピュータやＯＡ機器が属するネットワークＨＮＷを構築する無線通信規格として広く用いられている。また、IEEE 802.11は、IEEE 802.11a〜IEEE 802.11jなど、複数種類の規格を包含するものとして構築されている。
【００３８】
無線通信規格の他の例としては、たとえばＥｎＯｃｅａｎアライアンスの通信規格が挙げられる。ＥｎＯｃｅａｎアライアンスの通信規格は、バッテリーレス無線発信技術を採用している。周波数帯は、１ＧＨｚ以下であり、代表例は、３１５ＭＨｚまたは８６８ＭＨｚである。主な採用機器としては、開閉スイッチ、動体センサ、フットスイッチ、プルスイッチ等が挙げられる。
【００３９】
制御手段１１は、複数のセンサ装置３１Ａ，３１Ｂ，３１Ｃおよび複数のスイッチ３２Ａ，３２Ｂからの検出信号に基づいて複数のＬＥＤ照明装置２Ａ，２Ｂの点灯状態を制御するものである。当該点灯制御は、ＬＥＤ照明装置２Ａ，２Ｂの点灯および消灯を切り替える、いわゆるＯＮ／ＯＦＦ制御のほか、輝度の調整や色温度の調整等を含む概念である。本発明で言う制御手段は、様々な具体的構築例が適宜採用され、ホームゲートウェイ装置１に内蔵された制御手段１１は、その一例である。また、以下に述べる制御手段１１の構成は、ハードウエア構成によって構築されてもよいし、プログラムなどのソフトウエア構成によって構築されてもよいし、これらを組合せて構築してもよい。
【００４０】
制御手段１１は、制御部１１１および記憶部１１２を有する。
【００４１】
制御部１１１は、制御手段１１が行う制御機能を実現する部分であり、たとえばＣＰＵからなる。制御部１１１は、後述する制御を実現する演算機能や記憶部１１２へのデータの入出力機能、あるいはネットワーク構築手段１２、機器識別部１４、操作部１５およびＩ／Ｆ部１６への動作指令等を行う。
【００４２】
記憶部１１２は、制御手段１１による制御に用いられるデータの記憶手段である。記憶部１１２は、点灯マップ領域１１２ａ、動作情報領域１１２ｂおよび検出情報領域１１２ｃを有する。
【００４３】
点灯マップ領域１１２ａは、複数のＬＥＤ照明装置２Ａ，２Ｂのそれぞれの点灯状態を決定する点灯マップが記憶される領域である。点灯マップの例としては、図１１〜図１３に示すものが例示され、その使用態様については後述する。
【００４４】
動作情報領域１１２ｂは、複数のＬＥＤ照明装置２Ａ，２Ｂの動作情報であるＬＥＤ装置動作情報を記憶する領域である。動作情報領域１１２ｂには、複数のＬＥＤ照明装置２Ａ，２Ｂの各々が、時分秒等の時刻、月日、季節および年等の時系列においてどのような動作状態であったかが蓄積される。
【００４５】
検出情報領域１１２ｃは、複数のセンサ装置３１Ａ，３１Ｂ，３１Ｃおよび複数のスイッチ３２Ａ，３２Ｂの検出情報を記憶する領域である。検出情報領域１１２ｃには、複数のセンサ装置３１Ａ，３１Ｂ，３１Ｃおよび複数のスイッチ３２Ａ，３２Ｂの各々が、時分秒等の時刻、月日、季節および年等の時系列においてどのような検出状態であったかが蓄積される。
【００４６】
機器識別部１４は、ネットワークＨＮＷに属する機器の識別を行うためのものである。ネットワークＨＮＷに属する機器、すなわち複数のＬＥＤ照明装置２Ａ，２Ｂ、複数のセンサ装置３１Ａ，３１Ｂ，３１Ｃおよび複数のスイッチ３２Ａ，３２Ｂのそれぞれは、無線通信に準拠したＭＡＣアドレスなどの固有の機器識別情報を有している。機器識別部１４は、これらの機器識別情報を管理しており、ネットワークＨＮＷに動的に参加し、また退出する機器を識別する。
【００４７】
操作部１５は、ホームゲートウェイ装置１の操作をおこなうためのものであり、たとえば押しボタンやディップスイッチなどである。操作部１５による操作は、たとえばホームゲートウェイ装置１の初期設定操作などであり、ホームゲートウェイ装置１の通常の動作においては、操作部１５による操作は必要とされないことが一般的である。また、操作部１５による操作の確認やホームゲートウェイ装置１の動作状況の確認のために、ＬＥＤインジケータなどの表示部（図示略）を適宜設けてもよい。
【００４８】
Ｉ／Ｆ部１６は、ネットワークＨＮＷと外部の他のネットワークとを接続する部位である。本実施形態においては、ホームゲートウェイ装置１は、Ｉ／Ｆ部１６を介して広域ネットワークであるインターネットに接続されている。
【００４９】
複数のＬＥＤ照明装置２Ａ，２Ｂは、ＬＥＤ照明システムＡ１における動作制御の制御対象である。本実施形態においては、ＬＥＤ照明装置２ＡとＬＥＤ照明装置２Ｂとは、ＬＥＤ照明システムＡ１における制御対象としての構成は概ね共通しているが、照明器具としての構成が互いに異なる。
【００５０】
図３は、ＬＥＤ照明装置２Ａ，２Ｂの制御対象機器としてのブロック構成図である。ＬＥＤ照明装置２Ａ，２Ｂは、ＬＥＤ発光部２２、電源部２４、照明側無線通信部２５および制御部２６を有する。
【００５１】
ＬＥＤ発光部２２は、後述するＬＥＤチップ２２３を有するものであり、電力を供給されることにより発光する部位である。ＬＥＤ発光部２２を有することにより、ＬＥＤ照明装置２Ａ，２Ｂは、発光装置であるとともに、電力消費装置であるといえる。
【００５２】
電源部２４は、ＬＥＤ発光部２２を点灯させるための電力を供給するものである。電源部２４は、たとえば商用の１００Ｖ交流電力を、ＬＥＤ発光部２２に適した直流電力に変換する。また、電源部２４は、ＬＥＤ発光部２２の明るさを調整するための点灯制御を行う。ＬＥＤ発光部２２の点灯制御としては、いわゆるＰＷＭ制御が挙げられる。
【００５３】
照明側無線通信部２５は、ネットワークＨＮＷに属するための無線通信を行うものである。本実施形態においては、照明側無線通信部２５は、たとえばＷｉ−ＳＵＮに準拠した無線通信を行う。照明側無線通信部２５の無線通信は、アンテナ部２５１による電波の送受信によって実現される。
【００５４】
制御部２６は、ＬＥＤ照明装置２Ａ，２Ｂにおける電源部２４および照明側無線通信部２５の動作を統合的に制御するものであり、たとえばＣＰＵである。また、制御部２６は、電源部２４の一部として組み込まれていてもよい。
【００５５】
次に、ＬＥＤ照明装置２ＡおよびＬＥＤ照明装置２Ｂの照明器具としての構成についてそれぞれ説明する。なお、ＬＥＤ照明装置２ＡおよびＬＥＤ照明装置２Ｂは、本発明でいうＬＥＤ照明装置の一例であり、ＬＥＤ照明装置２Ａ、ＬＥＤ照明装置２Ｂ以外の様々な構成のＬＥＤ照明装置を適宜採用しうる。
【００５６】
図４は、ＬＥＤ照明装置２Ａを示す斜視図であり、図５は、図４のＶ−Ｖ線に沿う断面図である。ＬＥＤ照明装置２Ａは、天井面等に設置される、いわゆるシーリングライトとして構成されており、支持部材２１、ＬＥＤ発光部２２、透光カバー２３、電源部２４および照明側無線通信部２５を有する。
【００５７】
支持部材２１は、ＬＥＤ発光部２２、透光カバー２３、電源部２４および照明側無線通信部２５を支持するものであり、たとえば金属板をプレス加工することによって形成されている。
【００５８】
ＬＥＤ照明装置２ＡにおけるＬＥＤ発光部２２は、各々がＬＥＤチップ２２３を有する複数のＬＥＤモジュール２２２と、これらのＬＥＤモジュール２２２が搭載されたＬＥＤ基板２２１とを有する。ＬＥＤモジュール２２２は、ＬＥＤチップ２２３とこのＬＥＤチップ２２３を覆う封止樹脂（図示略）を含む。このようなＬＥＤチップ２２３は、たとえば青色光を発する。前記封止樹脂は、透明なシリコーン樹脂などに蛍光材料が混入されたものである。上記蛍光材料は、ＬＥＤチップ２２３の青色光によって励起されることにより、黄色光などを発する。本実施形態においては、複数のＬＥＤモジュール２２２は、主に蛍光材料の仕様が異なる２種類のＬＥＤモジュール２２２を含んでいる。一方のＬＥＤモジュール２２２は、いわゆる昼光色を発し、他方のＬＥＤモジュール２２２は、いわゆる電球色を発する。制御部２６および電源部２４の点灯制御により、これら２種類のＬＥＤモジュール２２２の点灯状態が個別に制御される。この結果、ＬＥＤ照明装置２Ａは、発する光の色温度が昼光色から電球色の間で任意に設定可能となっている。
【００５９】
透光カバー２３は、ＬＥＤ発光部２２からの光を拡散させつつ透過させるものである。透光カバー２３は、ＬＥＤ発光部２２の正面に位置しており、支持部材２１に固定されている。透光カバー２３は、たとえば半透明な乳白色の樹脂からなる。照明側無線通信部２５の設置態様は特に限定されず、本実施形態においては、たとえば支持部材２１の外周付近における背面側に設置されている。
【００６０】
図６は、ＬＥＤ照明装置２Ｂを示す斜視図であり、図７は、図６のＶＩＩ−ＶＩＩ線に沿う断面図である。ＬＥＤ照明装置２Ｂは、天井面等に設けられた開口に埋設される、いわゆるダウンライトとして構成されており、本実施形態のＬＥＤ照明装置２Ｂは、たとえばＩＥＣのＧＸ５３口金に対応している。ＬＥＤ照明装置２Ｂは、支持部材２１、ＬＥＤ発光部２２、透光カバー２３、電源部２４および照明側無線通信部２５を有している。
【００６１】
支持部材２１は、たとえば金属からなり、たとえば平面視円形状である。ＬＥＤ発光部２２は、支持部材２１に支持されており、基板に実装された複数のＬＥＤチップ２２３と、これらのＬＥＤチップ２２３を一括して覆う封止樹脂を有する。この封止樹脂は、上述したＬＥＤ照明装置２Ａの封止樹脂と同様に、ＬＥＤチップ２２３からの光によって励起されることにより黄色光を発する。これにより、ＬＥＤ発光部２２は、白色光を発する。ＬＥＤ照明装置２ＢのＬＥＤ発光部２２が発する白色光の色温度は、一定である。
【００６２】
透光カバー２３は、ＬＥＤ発光部２２からの光を拡散させつつ透過させるものである。透光カバー２３は、ＬＥＤ発光部２２の正面に位置しており、支持部材２１に固定されている。透光カバー２３は、たとえば半透明な乳白色の樹脂からなる。照明側無線通信部２５の設置態様は特に限定されず、本実施形態においては、たとえば支持部材２１の外周付近において支持部材２１と透光カバー２３との間に設置されている。
【００６３】
センサ装置３１Ａ，３１Ｂ，３１Ｃは、本発明のセンサ装置の例示であり、ネットワークＨＮＷに属するセンサ装置としての構成は共通している。図８は、センサ装置３１Ａ，３１Ｂ，３１Ｃの基本構成を示すブロック構成図である。センサ装置３１Ａ，３１Ｂ，３１Ｃは、検出部３１１、検出側無線通信部３１２、電源部３１４および制御部３１５を有する。
【００６４】
検出部３１１は、所定の原理にしたがって状態量を検出する部位であり、本実施形態においては、複数のＬＥＤ照明装置２Ａ，２Ｂが設置された環境の状態量を検出する。センサ装置３１Ａ，３１Ｂ，３１Ｃは、主に検出部３１１における検出原理が異なっている。
【００６５】
センサ装置３１Ａにおいては、検出部３１１は、フォトダイオードやフォトＩＣなどからなる。これにより、センサ装置３１Ａは、複数のＬＥＤ照明装置２Ａ，２Ｂが設置された環境の照度を状態量として検出する、いわゆる照度センサとして構成されている。このようなセンサ装置３１Ａからは、検出信号として設置環境の明るさに応じたレベルを示す信号が出力される。
【００６６】
センサ装置３１Ｂにおいては、検出部３１１は、赤外線を利用した焦電型検出部からなる。これにより、センサ装置３１Ｂは、複数のＬＥＤ照明装置２Ａ，２Ｂが設置された環境における人体の有無を状態量として検出する、いわゆる人感センサとして構成されている。このようなセンサ装置３１Ｂからは、検出信号として人体をはじめとする生体の存在有無を示す信号が出力される。
【００６７】
センサ装置３１Ｃにおいては、検出部３１１は、温度検出部および湿度検出部からなる。これにより、センサ装置３１Ｃは、複数のＬＥＤ照明装置２Ａ，２Ｂが設置された環境における温度および湿度を状態量として検出する、いわゆる温湿度センサとして構成されている。このようなセンサ装置３１Ｃからは、検出信号として設置環境における温度および湿度のレベルを示す信号が出力される。
【００６８】
検出側無線通信部３１２は、ネットワークＨＮＷに属するための無線通信を行うものである。本実施形態においては、検出側無線通信部３１２は、たとえばＷｉ−ＳＵＮに準拠した無線通信を行う。検出側無線通信部３１２の無線通信は、アンテナ部３１３による電波の送受信によって実現される。
【００６９】
電源部３１４は、検出部３１１における検出動作および検出側無線通信部３１２における無線通信などに必要な電力を供給するものである。電源部３１４は、たとえばＡＣアダプタを介して受けた商用１００Ｖ交流電力を検出部３１１等の動作に適した直流電流に変換するものでもよいし、いわゆるバッテリであってもよい。
【００７０】
制御部３１５は、検出部３１１における検出動作や検出側無線通信部３１２における無線通信を制御するものであり、たとえばＣＰＵからなる。制御部３１５は、検出部３１１からの上述した各種検出信号を受信する。検出部３１１からの検出信号の受信は、常時取得であってもよいし、間欠取得であってもよし、制御部３１５の判断によるタイミングであってもよい。制御部３１５は、たとえばあらかじめ定められたスケジュールにしたがって、ホームゲートウェイ装置１の制御手段１１からの要求に応じて、あるいは、検出部３１１からの検出信号が示す状態レベルがある特異値を超えた場合、などにおいて電源部３１４から検出信号を無線通信により送信する。
【００７１】
スイッチ３２Ａ，３２Ｂは、本発明で言うセンサ装置に含まれる概念のものであり、複数のＬＥＤ照明装置２Ａ，２Ｂが設置された環境の状態量を検出する点については、センサ装置３１Ａ，３１Ｂ，３１Ｃと同様である。スイッチ３２Ａは、使用者の操作によってそれ自体が複数の状態をとり、その状態を複数のＬＥＤ照明装置２Ａ，２Ｂが設置された環境の状態量と位置づけて検出するものである。スイッチ３２Ｂは、物体の接近や当接などに応じた複数の状態をとり、その状態を複数のＬＥＤ照明装置２Ａ，２Ｂが設置された環境の状態量と位置づけて検出するものである。
【００７２】
図９は、スイッチ３２Ａ，３２Ｂの基本構成を示すブロック構成図である。スイッチ３２Ａ，３２Ｂは、検出部３２１、検出側無線通信部３２２、電源部３２４および制御部３２５を有する。
【００７３】
検出部３２１は、上述した状態量を検出するものである。スイッチ３２Ａの場合、検出部３２１は、使用者の操作によって押されたり、引かれたり、スライドされたりといった状態変化を行う部位である。スイッチ３２Ｂの場合、検出部３２１は、物体の接近を光学的手段などによって検出するものや、物体の当接によって状態変化するレバーなどである。
【００７４】
検出側無線通信部３２２は、ネットワークＨＮＷに属するための無線通信を行うものである。本実施形態においては、検出側無線通信部３２２は、たとえばＷｉ−ＳＵＮに準拠した無線通信やＥｎＯｃｅａｎアライアンスの通信規格に準拠した無線通信を行う。検出側無線通信部３２２の無線通信は、アンテナ部３２３による電波の送受信によって実現される。
【００７５】
電源部３２４は、検出部３２１や検出側無線通信部３２２の動作に必要な電力を供給するものである。たとえば、スイッチ３２Ｂにおいて検出側無線通信部３２２がＷｉ−ＳＵＮに準拠した無線通信を行う場合、電源部３２４は、上記規格に準拠した電力を供給する。一方、たとえばスイッチ３２Ａにおいて検出側無線通信部３２２がＥｎＯｃｅａｎアライアンスの通信規格に準拠した無線通信を行う場合、検出部３２１が状態変化と併せて検出側無線通信部３２２の動作に必要な電力を発電する構成が提案されている。この場合、スイッチ３２Ａは、電源部３２４を備えない構成とすることができる。
【００７６】
制御部３２５は、検出部３２１、検出側無線通信部３２２および電源部３２４の動作を制御するものであり、たとえばＣＰＵからなる。なお、たとえばスイッチ３２ＡがＥｎＯｃｅａｎアライアンスの通信規格に準拠した無線通信を行うことにより、電源部３２４を有さない構成の場合、制御部３２５を備えない構成としてもよい。この場合、検出部３２１における状態変化によって、検出側無線通信部３２２の動作に必要な電力が発電され、検出側無線通信部３２２に固有に定められた信号が、アンテナ部３２３からの電波を介して送信される。
【００７７】
次に、ＬＥＤ照明システムＡ１の動作例について、以下に説明する。
【００７８】
図１０は、ＬＥＤ照明システムＡ１の動作例を示すフローチャートである。ステップＳ０において、ホームゲートウェイ装置１をはじめとする構成装置の電源が投入され、ホームゲートウェイ装置１、複数のＬＥＤ照明装置２Ａ，２Ｂ、複数のセンサ装置３１Ａ，３１Ｂ，３１Ｃおよび複数のスイッチ３２Ａ，３２Ｂが、個々の動作を開始する。
【００７９】
次いで、ステップＳ１において、ホームゲートウェイ装置１と複数のＬＥＤ照明装置２Ａ，２Ｂ、複数のセンサ装置３１Ａ，３１Ｂ，３１Ｃおよび複数のスイッチ３２Ａ，３２Ｂとの間で、所定の通信規格に則った通信確立がなされる。これにより、複数のＬＥＤ照明装置２Ａ，２Ｂ、複数のセンサ装置３１Ａ，３１Ｂ，３１Ｃおよび複数のスイッチ３２Ａ，３２Ｂが、ネットワークＨＮＷに属し、無線通信可能な状態となる。
【００８０】
次いで、ホームゲートウェイ装置１の制御手段１１は、ステップＳ２およびステップＳ３を順次行う。ステップＳ２においては、制御手段１１は、内蔵された計時手段（図示略）に基づいて、あるいはインターネットを経由して、現在日時を取得する。また、ステップＳ３において、制御手段１１は、無線通信を介して、複数のセンサ装置３１Ａ，３１Ｂ，３１Ｃおよび複数のスイッチ３２Ａ，３２Ｂの検出信号を取得する。この際、その日時における複数のセンサ装置３１Ａ，３１Ｂ，３１Ｃおよび複数のスイッチ３２Ａ，３２Ｂの検出状態を、記憶部１１２の検出情報領域１１２ｃに記憶する。なお、ステップＳ２における日時取得等の情報取得は、ステップＳ１の通信確立の直後になされる必要はなく、他の任意のタイミングで行われてもよい。
【００８１】
次いで、ステップＳ４において、点灯マップを選択する。これは、たとえば、制御手段１１が記憶部１１２の点灯マップ領域１１２ａに格納された複数の点灯マップから、その日時に応じた点灯マップを選択する。たとえば、図１１に示す点灯マップ０１は、複数のＬＥＤ照明装置２Ａ，２Ｂのそれぞれを１００％の明るさで点灯させるものである。また、上述したようにＬＥＤ照明装置２Ａは、昼光色と電球色とを発する複数のＬＥＤ発光部２２を有している。このため、ＬＥＤ照明装置２Ａ（シーリングライト）の項目には、昼光色と電球色とのそれぞれの明るさが設定されている。
【００８２】
たとえば、ＬＥＤ照明システムＡ１が設けられた住宅において、すべての部屋などに使用者が存在すると想定され、すべての部屋などにおいて出来る限り明るく照らされることが望まれる場合、点灯マップ０１が選択される。これにより、複数のＬＥＤ照明装置２Ａ，２Ｂは、すべてが１００％の明るさで点灯する。
【００８３】
一方、ステップＳ３において取得した複数のセンサ装置３１Ａ，３１Ｂ，３１Ｃおよび複数のスイッチ３２Ａ，３２Ｂの検出信号に基づいて、点灯マップの設定によらず複数のＬＥＤ照明装置２Ａ，２Ｂの明るさを制御することが、通常の制御処理として独立して行われる場合もある。または、複数のセンサ装置３１Ａ，３１Ｂ，３１Ｃおよび複数のスイッチ３２Ａ，３２Ｂの検出信号に基づいて、点灯マップによる明るさの設定を、割り込み処理によって部分的に変更する制御を行ってもよい。
【００８４】
たとえば、照度センサであるセンサ装置３１Ａから出力された検出信号をネットワーク構築手段１２が受信すると、この検出信号がネットワーク構築手段１２から制御手段１１へと送信される。これにより、制御手段１１は、照度センサであるセンサ装置３１Ａが設置された部屋の照度を認識する。この照度が、その部屋のＬＥＤ照明装置２ＡまたはＬＥＤ照明装置２Ｂを点灯させる前においてすでに十分な照度であると、制御手段１１が認識した場合、制御手段１１は、その部屋のすべてのＬＥＤ照明装置２ＡおよびＬＥＤ照明装置２Ｂの明るさを暗くする、あるいは非点灯とすべく、その旨の制御信号をネットワーク構築手段１２からＬＥＤ照明装置２ＡおよびＬＥＤ照明装置２Ｂに対して送信するようにしてもよい。また、前記照度が、その部屋のＬＥＤ照明装置２ＡまたはＬＥＤ照明装置２Ｂを点灯させる前においてすでに十分な照度ではないと、制御手段１１が認識した場合、制御手段１１は、その部屋の一部またはすべてのＬＥＤ照明装置２ＡおよびＬＥＤ照明装置２Ｂの明るさを高めるべく、その旨の制御信号をネットワーク構築手段１２からＬＥＤ照明装置２ＡおよびＬＥＤ照明装置２Ｂに対して送信するようにしてもよい。また、前記照度が、その部屋の照度として適切な範囲にあると、制御手段１１が認識した場合、制御手段１１は、その部屋のすべてのＬＥＤ照明装置２ＡおよびＬＥＤ照明装置２Ｂの明るさを維持すべく、その旨の制御信号をネットワーク構築手段１２からＬＥＤ照明装置２ＡおよびＬＥＤ照明装置２Ｂに対して送信するようにしてもよい。
【００８５】
また、人感センサであるセンサ装置３１Ｂから出力された検出信号をネットワーク構築手段１２が受信すると、この検出信号がネットワーク構築手段１２から制御手段１１へと送信される。これにより、制御手段１１は、その部屋の使用者の有無を照度を認識する。たとえば、その部屋に使用者が存在しないことが明らかであると制御手段１１が認識した場合、制御手段１１は、その部屋のすべてのＬＥＤ照明装置２ＡおよびＬＥＤ照明装置２Ｂの明るさを暗くする、あるいは非点灯とすべく、その旨の制御信号をネットワーク構築手段１２からＬＥＤ照明装置２ＡおよびＬＥＤ照明装置２Ｂに対して送信するようにしてもよい。また、その部屋に使用者が存在すると、制御手段１１が認識した場合、制御手段１１は、その部屋の一部またはすべてのＬＥＤ照明装置２ＡおよびＬＥＤ照明装置２Ｂの明るさを高めるべく、その旨の制御信号をネットワーク構築手段１２からＬＥＤ照明装置２ＡおよびＬＥＤ照明装置２Ｂに対して送信するようにしてもよい。
【００８６】
また、温湿度センサであるセンサ装置３１Ｃから出力された検出信号をネットワーク構築手段１２が受信すると、この検出信号がネットワーク構築手段１２から制御手段１１へと送信される。これにより、制御手段１１は、温湿度センサであるセンサ装置３１Ｃが設置された部屋の温度および湿度を認識する。この温度および湿度が使用者に暑いとの感覚を抱かせうると制御手段１１が認識した場合、制御手段１１は、視覚的な清涼感を演出すべく、その部屋のすべてのＬＥＤ照明装置２ＡおよびＬＥＤ照明装置２Ｂの明るさを暗くする、あるいは非点灯とすべく、その旨の制御信号をネットワーク構築手段１２からＬＥＤ照明装置２ＡおよびＬＥＤ照明装置２Ｂに対して送信するようにしてもよい。あるいは、制御手段１１は、ＬＥＤ照明装置２Ａの色温度をたとえば昼光色に近づけるべく、その旨の制御信号をネットワーク構築手段１２からＬＥＤ照明装置２Ａに対して送信するようにしてもよい。また、前記温度および湿度が使用者に寒冷な感覚を抱かせうると制御手段１１が認識した場合、制御手段１１は、使用者に視覚的な暖かさを演出すべく、その部屋の一部またはすべてのＬＥＤ照明装置２ＡおよびＬＥＤ照明装置２Ｂの明るさを高めるべく、その旨の制御信号をネットワーク構築手段１２からＬＥＤ照明装置２ＡおよびＬＥＤ照明装置２Ｂに対して送信するようにしてもよい。あるいは、制御手段１１は、ＬＥＤ照明装置２Ａの色温度をたとえば電球色に近づけるべく、その旨の制御信号をネットワーク構築手段１２からＬＥＤ照明装置２Ａに対して送信するようにしてもよい。また、前記温度および湿度が、その部屋の温度および湿度として適切な範囲にあると、制御手段１１が認識した場合、制御手段１１は、その部屋のすべてのＬＥＤ照明装置２ＡおよびＬＥＤ照明装置２Ｂの明るさを維持すべく、その旨の制御信号をネットワーク構築手段１２からＬＥＤ照明装置２ＡおよびＬＥＤ照明装置２Ｂに対して送信するようにしてもよい。
【００８７】
スイッチ３２Ａは、使用者の意図によって操作されるものである。このため、使用者の明示の意図によって、その部屋を明るくする、あるいは暗くするといった操作がスイッチ３２Ａになされた場合、制御手段１１の制御部１１１は、スイッチ３２Ａからの検出信号を最優先させて、ＬＥＤ照明装置２ＡまたはＬＥＤ照明装置２Ｂの明るさを設定してもよい。
【００８８】
また、スイッチ３２Ｂによって、扉の開閉等を検出することにより、使用者の有無が推定される場合、その結果によって、その場所のＬＥＤ照明装置２ＡまたはＬＥＤ照明装置２Ｂの明るさを設定してもよい。
【００８９】
このように、ステップＳ４における点灯マップの選択と、ステップＳ３において取得した複数のセンサ装置３１Ａ，３１Ｂ，３１Ｃおよび複数のスイッチ３２Ａ，３２Ｂの検出信号に基づいた個別の明るさの設定を終えた後は、ステップＳ５において、ホームゲートウェイ装置１のネットワーク構築手段１２から複数のＬＥＤ照明装置２ＡおよびＬＥＤ照明装置２Ｂに、それぞれの明るさの設定値を送信する。個々のＬＥＤ照明装置２ＡおよびＬＥＤ照明装置２Ｂは、それぞれが受けた設定値に応じて、ＬＥＤ発光部２２を点灯させる。
【００９０】
ＬＥＤ照明装置２ＡおよびＬＥＤ照明装置２Ｂは、ホームゲートウェイ装置１の制御手段１１から受けた設定値に応じたＬＥＤ発光部２２の点灯が完了すると、その点灯状態を制御手段１１に送信する。複数のＬＥＤ照明装置２ＡおよびＬＥＤ照明装置２Ｂから点灯状態を受けた制御手段１１の制御部１１１は、その日時における複数のＬＥＤ照明装置２ＡおよびＬＥＤ照明装置２Ｂの個々の点灯状態を、記憶部１１２の動作情報領域１１２ｂに記憶させる。
【００９１】
ステップＳ２〜ステップＳ６を継続して繰り返すことにより、ＬＥＤ照明システムＡ１が設置された住宅においては、複数のＬＥＤ照明装置２ＡおよびＬＥＤ照明装置２Ｂが日時や、設置環境の状態量に応じて点灯制御される。
【００９２】
図１２は、点灯マップの他の例を示している。同図に示された点灯マップ０２は、すべてのＬＥＤ照明装置２ＡおよびＬＥＤ照明装置２Ｂを消灯する設定とされている。これは、主にセンサ装置３１Ａやセンサ装置３１Ｂの検出信号によって、すべての使用者がその住宅から外出したと判断された場合に選択される。
【００９３】
図１３は、点灯マップの他の例を示している。同図に示された点灯マップ０３は、複数のＬＥＤ照明装置２ＡおよびＬＥＤ照明装置２Ｂの個々の明るさが概ね異なる設定値とされている。点灯マップ０３から理解されるように、複数のＬＥＤ照明装置２ＡおよびＬＥＤ照明装置２Ｂの明るさは、それぞれに独立して設定可能である。また、季節や時間に応じて、明るさや色温度を設定し、複数のＬＥＤ照明装置２ＡおよびＬＥＤ照明装置２Ｂを協調制御してもよい。このような制御によれば、ＬＥＤ照明システムＡ１が設置された環境の明るさを季節や時間に適した心地良い状態に設定することができる。
【００９４】
次に、ＬＥＤ照明システムＡ１の作用について説明する。
【００９５】
本実施形態によれば、複数のＬＥＤ照明システムＡ１，Ａ２と、複数のセンサ装置３１Ａ，３１Ｂ，３１Ｃおよびスイッチ３２Ａ，３２Ｂとが、ネットワークＨＮＷに属している。また、制御手段１１は、ネットワークＨＮＷに属する複数のＬＥＤ照明装置２Ａ，２Ｂの点灯制御と、ネットワークＨＮＷに属する複数のセンサ装置３１Ａ，３１Ｂ，３１Ｃおよびスイッチ３２Ａ，３２Ｂからの検出信号取得を行う。このため、制御手段１１は、取得した複数のセンサ装置３１Ａ，３１Ｂ，３１Ｃおよびスイッチ３２Ａ，３２Ｂからの検出信号のうち任意の検出信号に基づいて、複数のＬＥＤ照明システムＡ１，Ａ２から任意に選択したＬＥＤ照明システムＡ１，Ａ２の点灯制御を行うことが可能である。これにより、たとえばある部屋に設置された一つのセンサ装置３１Ａ，３１Ｂ，３１Ｃおよびスイッチ３２Ａ，３２Ｂのいずれかの検出信号から認識された状態に応じて、その部屋に設置されたＬＥＤ照明装置２ＡおよびＬＥＤ照明装置２Ｂを、その状態に適した点灯状態に設定することが可能である。したがって、複数のセンサ装置３１Ａ，３１Ｂ，３１Ｃおよびスイッチ３２Ａ，３２Ｂの検出信号に基づいて複数のＬＥＤ照明装置２Ａ，２Ｂを適切に制御することができる。
【００９６】
本実施形態においては、制御手段１１がホームゲートウェイ装置１に内蔵されている。このため、ネットワークＨＮＷに属する複数のセンサ装置３１Ａ，３１Ｂ，３１Ｃおよびスイッチ３２Ａ，３２Ｂからの検出信号をネットワーク構築手段１２が受信すると、制御手段１１は、これらの検出信号をネットワーク構築手段１２から無線通信を介することなく即座に取得可能である。また、制御手段１１からの複数のＬＥＤ照明システムＡ１，Ａ２の点灯を制御する制御信号は、他のネットワーク等を介することなく、ネットワークＨＮＷに属する複数のＬＥＤ照明装置２Ａ，２Ｂへと送信される。したがって、点灯制御における遅延を抑制することができる。また、ホームゲートウェイ装置１は、ネットワークＨＮＷを構築するために不可欠な装置である。このホームゲートウェイ装置１に制御手段１１を内蔵することにより、制御手段１１をＬＥＤ照明システムＡ１に備えるための、新たな別の装置を設置する必要がない。また、ホームゲートウェイ装置１から送信した制御信号が複数のＬＥＤ照明装置２Ａ，２Ｂに届いたかどうかを、ホームゲートウェイ装置１のネットワーク構築手段１２が構築したネットワークＨＮＷからのレスポンスにより把握するようにすることで、より確実な制御を行えるようになる。
【００９７】
制御手段１１が点灯マップ領域１１２ａに記憶された点灯マップを用いた点灯制御を行うことにより、ＬＥＤ照明システムＡ１に備えられた複数のＬＥＤ照明装置２Ａ，２Ｂを、一括して協調制御することができる。
【００９８】
制御手段１１は、記憶部１１２の動作情報領域１１２ｂに、複数のＬＥＤ照明装置２Ａ，２ＢのＬＥＤ照明装置動作情報を蓄積する。この蓄積されたＬＥＤ照明装置動作情報により、ＬＥＤ照明システムＡ１が、どのような季節および日時に、どのような点灯状態であるか、もしくはどのような電源供給状態であったかを、把握することができる。これは、複数のＬＥＤ照明装置２Ａ，２Ｂを含むＬＥＤ照明システムＡ１を電力消費システムとしてとらえた場合に、ＬＥＤ照明システムＡ１がどのような電力消費状態であったかを網羅的に把握可能な情報を蓄積することを意味する。したがって、ＬＥＤ照明システムＡ１の電力消費実績に基づいて、将来の電力消費状態を予測することができる。また、ホームゲートウェイ装置１は、インターネットに接続されている。このため、動作情報領域１１２ｂに蓄積されたＬＥＤ照明装置動作情報を、たとえば電力会社の外部のサーバ（図示略）などから適宜利用することができる。なお、ホームゲートウェイ装置１に設けられた制御手段１１によって複数のＬＥＤ照明装置２Ａ，２Ｂの点灯状態を制御するので、より容易に実使用の電力レベルを時系列に管理および保存することができる。また、ＬＥＤ照明システムＡ１についてトータルでどの程度の電力を消費したかを管理できるようになるので、複数のＬＥＤ照明装置２Ａ，２Ｂそれぞれの寿命も管理できるようになる。また、ホームゲートウェイ装置１の制御手段１１は、センサ装置３１Ａ，３１Ｂ，３１Ｃおよびスイッチ３２Ａ，３２Ｂからの検出信号以外に、外部から供給される電力量についての情報（その日一日に供給可能な電力量情報を含む）を把握し、それに応じて複数のＬＥＤ照明装置２Ａ，２Ｂの輝度を自動で調整することもできる。たとえば、供給可能な電力量が少ない場合、複数のＬＥＤ照明装置２Ａ，２Ｂに供給する電力量を削減するように、制御手段１１が点灯制御を行ってもよい。これにより、供給電力量に応じて使用者が手動で複数のＬＥＤ照明装置２Ａ，２Ｂの明るさを調整する手間が省けるので、より快適な照明システムを提供できる。
【００９９】
照度センサとしてのセンサ装置３１Ａを備えることにより、部屋などの明るさに適した点灯制御を行うことができる。人感センサとしてのセンサ装置３１Ａを備えることにより、使用者の有無にあわせた点灯制御を行うことができる。温湿度センサとしてのセンサ装置３１Ａを備えることにより、室内の温度や湿度に適した点灯制御を行うことができる。
【０１００】
使用者が操作するタイプのスイッチ３２Ａを備えることにより、使用者の明示の意図に沿った点灯制御を行うことができる。物体の状態に応じた複数の状態をとるスイッチ３２Ａを備えることにより、使用者の意図が明示されなくとも物体の状態から使用者の意図を推測し、これを点灯制御に反映させることができる。
【０１０１】
なお、照度センサとしてのセンサ装置３１Ａや人感センサとしてのセンサ装置３１Ｂのいずれかが、ＬＥＤ照明装置２ＡまたはＬＥＤ照明装置２Ｂのいずれかに内蔵された構成であってもよい。たとえば、ＬＥＤ照明装置２Ａにセンサ装置３１Ｂが内蔵されている場合、このセンサ装置３１Ｂからの検出信号は、ネットワークＨＮＷを介しての無線通信によってホームゲートウェイ装置１のネットワーク構築手段１２から制御手段１１に伝えられ、このＬＥＤ照明装置２Ａの明るさの設定値が制御手段１１から送信される。これに加えて、このＬＥＤ照明装置２Ａの制御部２６が、当該センサ装置３１Ｂの検出信号に基づいてＬＥＤ発光部２２の点灯状態を制御してもよい。
【０１０２】
図１４〜図１８は、本発明の他の実施形態を示している。なお、これらの図において、上記実施形態と同一または類似の要素には、上記実施形態と同一の符号を付している。
【０１０３】
図１４は、本発明の第２実施形態に基づくＬＥＤ照明システムを示している。本実施形態のＬＥＤ照明システムＡ２は、ホームゲートウェイ装置１、複数のＬＥＤ照明装置２Ａ，２Ｂ、複数のセンサ装置３１Ａ，３１Ｂ，３１Ｃ、複数のスイッチ３２Ａ，３２Ｂ、携帯型情報端末４およびパーソナルコンピュータ５を備えている。
【０１０４】
本実施形態においては、ホームゲートウェイ装置１は、ネットワークＨＮＷを構築するための機能を果たす一方、上述したＬＥＤ照明システムＡ１における制御手段１１は、備えていない。本実施形態においては、ネットワーク構築手段１２、ホームゲートウェイ側有線通信部１３、機器識別部手段１４、操作部１５およびＩ／Ｆ部１６の動作を制御する制御部１０がホームゲートウェイ装置１に備えられている。また、本実施形態のホームゲートウェイ装置１は、ホームゲートウェイ側有線通信部１３を備える。ホームゲートウェイ側有線通信部１３は、ネットワークＨＮＷに、無線通信に加えてたとえばＬＡＮ規格に準拠した有線通信によって通信する機器を属させるためのものである。
【０１０５】
携帯型情報端末４は、たとえばスマートフォンやタブレットなどであり、ネットワークＨＮＷに属している。図１５は、携帯型情報端末４を示すブロック構成図である。携帯型情報端末４は、制御手段４１、携帯端末側無線通信部４２、操作部４３および表示部４４を備えている。
【０１０６】
制御手段４１は、複数のセンサ装置３１Ａ，３１Ｂ，３１Ｃおよび複数のスイッチ３２Ａ，３２Ｂからの検出信号に基づいて複数のＬＥＤ照明装置２Ａ，２Ｂの点灯状態を制御するものであり、上述した制御手段１１と同様の機能を果たす。制御手段４１は、制御部４１１、記憶部４１２を有する。
【０１０７】
制御部４１１は、制御手段４１の制御を行うとともに、スマートフォンやタブレットとしての携帯型情報端末４の機能を制御するものである。本実施形態においては、たとえば１つのＣＰＵが、制御手段４１としての制御と携帯型情報端末４固有の制御とを行う場合を示している。
【０１０８】
記憶部４１２は、点灯マップ領域４１２ａ、動作情報領域４１２ｂおよび検出情報領域４１２ｃを有しており、それぞれが上述した点灯マップ領域１１２ａ、動作情報領域１１２ｂおよび検出情報領域１１２ｃに相当する。記憶部４１２は、制御手段４１の機能を担う記憶手段としての役割に加えて、携帯型情報端末４の機能を担う記憶手段として使用される。
【０１０９】
携帯端末側無線通信部４２は、たとえばＷｉ−Ｆｉに準拠した無線通信を行うものである。この無線通信は、アンテナ部４２１における電波の送受信によって実現される。
【０１１０】
操作部４３は、使用者の操作入力がなされるものであり、たとえば静電式タッチパネルである。表示部４４は、たとえば操作部４３と重ね合わされた液晶パネルである。
【０１１１】
図１６は、パーソナルコンピュータ５を示すブロック構成図である。パーソナルコンピュータ５は、制御手段５１、ＰＣ側有線通信部５２、操作部５３および表示部５４を有する。
【０１１２】
制御手段５１は、携帯型情報端末４における制御手段４１と同様の構成であり、制御部５１１および記憶部５１２を有する。制御部５１１は上述した制御部４１１と同様の構成であり、記憶部５１２は、上述した制御部４１１と同様の構成であり、点灯マップ領域５１２ａ、動作情報領域５１２ｂおよび検出情報領域５１２ｃを有する。制御部５１１は、パーソナルコンピュータ５固有の機能を制御する制御部を兼ねている。また、記憶部５１２は、パーソナルコンピュータ５固有の機能を担うための記憶手段を兼ねている。
【０１１３】
ＰＣ側有線通信部５２は、パーソナルコンピュータ５をネットワークＨＮＷに属させるための通信を行うものであり、たとえばＬＡＮ規格に準拠した有線通信を行う。なお、パーソナルコンピュータ５は、携帯型情報端末４などと同様にＷｉ−Ｆｉ規格に準拠した無線通信によってネットワークＨＮＷに属してもよい。
【０１１４】
操作部５３は、使用者の操作入力がなされるものであり、たとえばキーボードおよびマウスである。表示部５４は、たとえば液晶パネルである。
【０１１５】
ＬＥＤ照明システムＡ２においては、携帯型情報端末４の制御手段４１とパーソナルコンピュータ５の制御手段５１とが、ＬＥＤ照明システムＡ１における制御手段１１として機能し得る。たとえば、携帯型情報端末４を所有する使用者が外出しており、携帯型情報端末４を有さない使用者のみが在宅している場合、パーソナルコンピュータ５の制御手段５１が、上述した制御手段１１と同様の制御を行い、ＬＥＤ照明システムＡ２を動作させる。一方、携帯型情報端末４を有する使用者が在宅する場合、携帯型情報端末４の制御手段４１による制御とパーソナルコンピュータ５の制御手段５１による制御とが、適宜選択可能な状態となる。いずれを選択するかは、たとえば、携帯型情報端末４および携帯型情報端末４のいずれかもしくは双方に、いずれを優先させるかを予め設定しておけばよい。あるいは、携帯型情報端末４の操作部４３およびパーソナルコンピュータ５の操作部５３のいずれかからの操作入力によって使用者の意図が明示された場合、その意図によって選択された制御手段４１または制御手段５１を優先させてもよい。
【０１１６】
本実施形態によっても、複数のセンサ装置３１Ａ，３１Ｂ，３１Ｃおよびスイッチ３２Ａ，３２Ｂの検出信号に基づいて複数のＬＥＤ照明装置２Ａ，２Ｂを適切に制御することができる。また、携帯型情報端末４やパーソナルコンピュータ５を備えることにより、ホームゲートウェイ装置１としてネットワークＨＮＷの構築などの基本機能のみを備える装置を採用することができる。携帯型情報端末４の制御手段４１やパーソナルコンピュータ５の制御手段５１は、主にアプリケーションやソフトウエアで構築する事が可能である。これにより、複数のＬＥＤ照明装置２Ａ，２Ｂや、複数のセンサ装置３１Ａ，３１Ｂ，３１Ｃおよび複数のスイッチ３２Ａ，３２Ｂの設置状況に合わせた個別の設定を手軽に行うことができる。また、複数のＬＥＤ照明装置２Ａ，２Ｂの電力消費状態から把握される複数のＬＥＤ照明装置２Ａ，２Ｂそれぞれの寿命を、携帯型情報端末４の表示部４４やパーソナルコンピュータ５の表示部５４に表示させることで、使用者がより容易にＬＥＤ照明システムＡ２を管理できるようになる。
【０１１７】
図１７は、本発明の第３実施形態に基づくＬＥＤ照明システムを示している。本実施形態のＬＥＤ照明システムＡ３は、ホームゲートウェイ装置１、複数のＬＥＤ照明装置２Ａ，２Ｂ、複数のセンサ装置３１Ａ，３１Ｂ，３１Ｃ、複数のスイッチ３２Ａ，３２Ｂおよび外部サーバ６を備えている。
【０１１８】
本実施形態のホームゲートウェイ装置１は、ＬＥＤ照明システムＡ１におけるホームゲートウェイ装置１と同様に制御手段１１を有している。
【０１１９】
外部サーバ６は、インターネットに属するものであり、インターネットを経由してＬＥＤ照明システムＡ３（ホームゲートウェイ装置１）にアクセス可能である。図１７は、外部サーバ６を示すシステム構成図である。外部サーバ６は、制御手段６１、通信部６２、操作部６３および表示部６４を有する。
【０１２０】
制御手段６１は、ホームゲートウェイ装置１が受信した複数のセンサ装置３１Ａ，３１Ｂ，３１Ｃおよび複数のスイッチ３２Ａ，３２Ｂからの検出信号をインターネットを経由して受信する。そして、制御手段６１は、これらの検出信号に基づいて複数のＬＥＤ照明装置２Ａ，２Ｂの点灯状態を制御する信号をインターネットを経由してホームゲートウェイ装置１に送信する。これらの制御信号は、ホームゲートウェイ装置１から複数のＬＥＤ照明装置２Ａ，２Ｂに送信される。このように制御手段６１は、上述した制御手段１１と同様の機能を果たす。制御手段６１は、制御部６１１、記憶部６１２を有する。
【０１２１】
制御部６１１は、制御手段６１の制御を行うとともに、外部サーバ６の機能を制御するものである。本実施形態においては、たとえば１つのＣＰＵが、制御手段６１としての制御と外部サーバ６固有の制御とを行う場合を示している。
【０１２２】
記憶部６１２は、点灯マップ領域６１２ａ、動作情報領域６１２ｂおよび検出情報領域６１２ｃを有しており、それぞれが上述した点灯マップ領域１１２ａ、動作情報領域１１２ｂおよび検出情報領域１１２ｃに相当する。記憶部６１２は、制御手段６１の機能を担う記憶手段としての役割に加えて、外部サーバ６の機能を担う記憶手段として使用される。
【０１２３】
操作部６３は、たとえばキーボードであり、表示部６４は、たとえば液晶パネル等である。
【０１２４】
ＬＥＤ照明システムＡ３においては、ホームゲートウェイ装置１の制御手段１１と外部サーバ６の制御手段６１とが併存している。このような構成の場合、ホームゲートウェイ装置１の制御手段１１はたとえば制御手段６１からの所定の信号を受けることにより、あるいは、使用者の操作部１５からの操作設定などによって、制御手段６１による制御機能を優先させ、制御手段１１の制御機能を無効化する無効化モードを有してもよい。ホームゲートウェイ装置１の制御手段１１が無効化モードをとった場合、複数のセンサ装置３１Ａ，３１Ｂ，３１Ｃおよび複数のスイッチ３２Ａ，３２Ｂからの検出信号に基づいた複数のＬＥＤ照明装置２Ａ，２Ｂの点灯制御は、外部サーバ６の制御手段６１によってなされる。また、複数のＬＥＤ照明装置２Ａ，２Ｂの動作情報は、制御手段６１の記憶部６１２の動作情報領域６１２ｂに蓄積される。また、複数のセンサ装置３１Ａ，３１Ｂ，３１Ｃおよび複数のスイッチ３２Ａ，３２Ｂの検出情報は、制御手段６１の記憶部６１２の検出情報領域６１２ｃに蓄積される。
【０１２５】
本実施形態によっても、複数のセンサ装置３１Ａ，３１Ｂ，３１Ｃおよびスイッチ３２Ａ，３２Ｂの検出信号に基づいて複数のＬＥＤ照明装置２Ａ，２Ｂを適切に制御することができる。また、外部サーバ６に制御手段６１が備えられていることにより、ＬＥＤ照明システムＡ１として、たとえば複数の住宅や、複数の集合住宅、さらには、ある地域を包括するシステムを構築することができる。
【０１２６】
ホームゲートウェイ装置１の制御手段１１は、装置外に備えられた制御手段による制御を優先させる無効化モードを有する。このため、本実施形態において、制御手段１１を無効化モードとすることにより、複数のＬＥＤ照明装置２Ａ，２Ｂの点灯制御を、外部サーバ６の制御手段６１によって行うことができる。これにより、たとえば、制御手段１１を備えるホームゲートウェイ装置１を複数の住宅に設置するとともに、インターネット上に外部サーバ６を設置することにより、特段のハード構成の変更を行うことなく、外部サーバ６による一括した統合制御に移行することができる。
【０１２７】
本発明に係るＬＥＤ照明システムは、上述した実施形態に限定されるものではない。本発明に係るＬＥＤ照明システムの各部の具体的な構成は、種々に設計変更自在である。
【符号の説明】
【０１２８】
Ａ１〜Ａ３      ＬＥＤ照明システム
１      ホームゲートウェイ装置
１０      制御部
１１      制御手段
１１１      制御部
１１２      記憶部
１１２ａ      点灯マップ領域
１１２ｂ      動作情報領域
１１２ｃ      検出情報領域
１２      ネットワーク構築手段
１２１      アンテナ部
１３      ホームゲートウェイ側有線通信部
１４      機器識別部
１５      操作部
１６      Ｉ／Ｆ部
２Ａ      ＬＥＤ照明装置
２Ｂ      ＬＥＤ照明装置
２２      ＬＥＤ発光部
２２１      ＬＥＤ基板
２２２      ＬＥＤモジュール
２２３      ＬＥＤチップ
２１      支持部材
２３      透光カバー
２４      電源部
２５      照明側無線通信部
２５１      アンテナ部
２６      制御部
３１Ａ      センサ装置
３１Ｂ      センサ装置
３１Ｃ      センサ装置
３１１      検出部
３１２      検出側無線通信部
３１３      アンテナ部
３１４      電源部
３１５      制御部
３２Ａ      スイッチ
３２Ｂ      スイッチ
３２１      検出部
３２２      検出側無線通信部
３２３      アンテナ部
３２４      電源部
３２５      制御部
４      携帯型情報端末
４１      制御手段
４１１      制御部
４１２      記憶部
４１２ａ      点灯マップ領域
４１２ｂ      動作情報領域
４１２ｃ      検出情報領域
４２      携帯端末側無線通信部
４２１      アンテナ部
４３      操作部
４４      表示部
５      パーソナルコンピュータ
５１      制御手段
５１１      制御部
５１２      記憶部
５１２ａ      点灯マップ領域
５１２ｂ      動作情報領域
５１２ｃ      検出情報領域
５２      ＰＣ側有線通信部
５３      操作部
５４      表示部
６      外部サーバ
６１      制御手段
６１１      制御部
６１２      記憶部
６１２ａ      点灯マップ領域
６１２ｂ      動作情報領域
６１２ｃ      検出情報領域
６２      通信部
６３      操作部
６４      表示部
ＨＮＷ      ネットワーク
【図１】
2017021932.tif 000003
【図２】
2017021932.tif 000004
【図３】
2017021932.tif 000005
【図４】
2017021932.tif 000006
【図５】
2017021932.tif 000007
【図６】
2017021932.tif 000008
【図７】
2017021932.tif 000009
【図８】
2017021932.tif 000010
【図９】
2017021932.tif 000011
【図１０】
2017021932.tif 000012
【図１１】
2017021932.tif 000013
【図１２】
2017021932.tif 000014
【図１３】
2017021932.tif 000015
【図１４】
2017021932.tif 000016
【図１５】
2017021932.tif 000017
【図１６】
2017021932.tif 000018
【図１７】
2017021932.tif 000019
【図１８】
2017021932.tif 000020